【手続補正書】
【提出日】平成26年2月13日(2014.2.13)
【手続補正１】
【補正対象書類名】特許請求の範囲
【補正対象項目名】請求項６
【補正方法】変更
【補正の内容】
【請求項６】
前記第１基板部は、前記第１主面上において前記第２電極と前記最近接の２つの前記第１電極のうちの前記一方の電極との間に設けられ前記第１電極及び前記第２電極と離間し前記第１方向に延びる第３電極をさらに含み、
前記第２基板部は、前記第２主面上において前記第１対向電極と前記第２対向電極との間に設けられ前記第１対向電極と前記第２対向電極と離間し前記第１方向に延びる第３対向電極をさらに含み、
前記平面に投影したときに、前記第１領域における前記第１対向電極と前記第３対向電極との間の第２離間領域の前記第２方向に沿った中心と前記中心軸との間の前記第２方向に沿った距離は、前記第１領域における前記第３電極の前記第２方向に沿った中心と前記中心軸との間の前記第２方向に沿った距離よりも長い請求項１〜３のいずれか１つに記載の液晶光学素子。
【手続補正２】
【補正対象書類名】明細書
【補正対象項目名】００３７
【補正方法】変更
【補正の内容】
【００３７】
画像表示部８０は、表示部８１を含む。表示部８１は、液晶光学素子１１１と積層される。表示部８１は、画像情報を含む光を液晶層３０に入射させる。画像表示部８０は、表示部８１を駆動する表示駆動部８２をさらに含むことができる。表示駆動部８２から表示部８１に供給される信号に基づいて、表示部８１は、信号に基づいて変調された光を生成する。表示部８１は、例えば、複数の視差画像を含む光を出射する。液晶光学素子１１１は後述するように、光路を変更する動作状態と、光路を実質的に変更しない動作状態と、を有する。光路を変更する動作状態の液晶光学素子１１１に光が入射することで、画像表示装置２１１は、例えば、三次元表示を提供する。また、例えば、光路を実質的に変更しない動作状態において、画像表示装置２１１は、例えば、二次元画像表示を提供する。
【手続補正３】
【補正対象書類名】明細書
【補正対象項目名】００７１
【補正方法】変更
【補正の内容】
【００７１】
実施形態において、例えば、最近接の２つの第１電極１１のうちの上記の一方の電極１１ｐと中心軸５９との間のＸ軸方向に沿った距離ｄ１１と、第１離間領域２２ｓのＸ軸方向に沿った中心２２ｓＣと中心軸５９との間のＸ軸方向に沿った距離ｄ２２との差の絶対値（図１に例示した距離ｄ１１ｅ）は、距離ｄ１１の１／２よりも小さい。すなわち、Ｘ−Ｙ平面に投影したときに、第１離間領域２２ｓの中心２２ｓＣの位置は、中心軸５９から遠く、電極１１ｐに近い。これにより、形成される屈折率分布において、レンズ端に近い位置に、フレネルレンズの副レンズが形成される。これにより、良好なレンズ効果が得易くなる。
【手続補正４】
【補正対象書類名】明細書
【補正対象項目名】００７８
【補正方法】変更
【補正の内容】
【００７８】
液晶光学素子１１１ｂにおいては、例えば、第１電極１１の電位をＧＮＤ電位に設定し、第１対向電極２１の電位をＶＥ電位に設定する。第２電極１２の電位をＶＥ電位に設定し、第２対向電極２２の電位をＧＮＤ電位に設定する。そして、中心部電極１１ｃの電位をＧＮＤ電位に設定する。これにより、レンズ中心に対応する領域において、液晶層３０に印加される電圧が零ボルトとなり、初期の液晶配列（例えば水平配列）が維持される。これにより、例えば、第１電極１１、第２電極１２、第１対向電極２１及び第２対向電極２２に印加する電圧の設計範囲が拡大し、その結果、良好な屈折率分布３１がより得易くなる。この場合もコモン反転駆動を適用しても良い。
【手続補正５】
【補正対象書類名】明細書
【補正対象項目名】００８０
【補正方法】変更
【補正の内容】
【００８０】
図７は、第１の実施形態に係る別の液晶光学素子の構成を例示する模式的断面図である。  
図７に表したように、本実施形態に係る液晶光学素子１１２においては、第１基板部１０ｕは、第３電極１３をさらに含み、第２基板部２０ｕは、第３対向電極２３をさらに含む。これ以外は、液晶光学素子１１１と同様なので説明を省略する。
【手続補正６】
【補正対象書類名】明細書
【補正対象項目名】００８２
【補正方法】変更
【補正の内容】
【００８２】
第３対向電極２３は、第２主面２０ａ上において第１対向電極２１と第２対向電極２２との間に設けられる。第３対向電極２３は、第１対向電極２１と第２対向電極２２と離間している。第３対向電極２３は、Ｙ軸方向に延びる。第２基板部２０ｕにおいて、第２領域Ｒ２には電極１３Ｒがさらに設けられる。
【手続補正７】
【補正対象書類名】明細書
【補正対象項目名】００８４
【補正方法】変更
【補正の内容】
【００８４】
Ｘ−Ｙ平面に投影したときに、第１領域Ｒ１における第１対向電極２１と第３対向電極２３との間の第２離間領域２３ｓのＸ軸方向に沿った中心２３ｓＣと、中心軸５９と、の間のＸ軸方向に沿った距離ｄ２３は、第１領域Ｒ１における第３電極１３のＸ軸方向に沿った中心１３Ｃと、中心軸５９と、の間のＸ軸方向に沿った距離ｄ１３よりも長い。
【手続補正８】
【補正対象書類名】明細書
【補正対象項目名】００９０
【補正方法】変更
【補正の内容】
【００９０】
例えば、第３電極１３の電位をＶＦ電位に設定し、第３対向電極２３の電位をＧＮＤ電位に設定する。第３電極１３と第３対向電極２３との間には、ＧＮＤ−ＶＦの電位差の第２電圧が印加される。この領域においては、Ｚ軸方向の成分を有する電界が印加される。図７において、第１電極１１の電位を第３電極１３の電位とは異なる電位に設定すると、第３電極１３の周辺に左右非対称（第３電極１３のＸ軸方向に沿った中心を通りＹ軸方向に対して平行な線に対して非対称）な電界が発生する。第３電極１３の一方の端（例えばレンズ端側）の領域においては、液晶分子のチルト角が急激に大きくなる。この領域におけるチルト方向は、初期配向と同じチルト方向である。この領域においては、液晶層３０の屈折率が急激に下がり、フレネル型の屈折率の段差が生じる。一方、第３電極１３の他方の端（レンズ中心側の端）の領域においては、液晶分子のチルト角の変化は緩やかである。この領域におけるチルト方向は、初期配向とは異なる方向であるが、液晶分子のチルト角の変化が緩やかであるため、この部分において、配向乱れ（例えば、リバースチルトやツイスト）の発生は抑制される。
【手続補正９】
【補正対象書類名】明細書
【補正対象項目名】０１０５
【補正方法】変更
【補正の内容】
【０１０５】
電極対１５は、第２電極１２（第２電極１２ａなど）と、第３電極１３（第３電極１３ａなど）と、絶縁層１８と、を含む。第２電極１２及び第３電極１３は、Ｙ軸方向に延びる。絶縁層１８は、第２電極１２と第３電極１３との間に設けられる。この例では、第２電極１２と第１基板１０との間に絶縁層１８が設けられ、絶縁層１８の一部と第１基板１０との間に第３電極１３が設けられている。
【手続補正１０】
【補正対象書類名】明細書
【補正対象項目名】０１１０
【補正方法】変更
【補正の内容】
【０１１０】
例えば、第１対向電極２１の電位をＧＮＤ電位に設定し、第１電極１１の電位をＶＥ電位に設定し、第２電極１２の電位をＶＦ電位に設定し、第３電極１３の電位をＶＦ電位に設定する。これにより、電極対１５において、非対称な電界分布（電気力線の分布）が形成できる。さらに、スリット２０ｓを設けることで、電界分布の制御性が高まる。これにより、＋Ｘ方向に沿った屈折率上昇率を、＋Ｘ方向に沿った屈折率減少率よりも容易に高くできる。屈折率の極小点３２から極大点３３への変化を容易に急峻にできる。このため、迷光が抑制できる。そして、＋Ｘ方向に沿った屈折率の変化（減少）は緩やかにでき、良好なレンズ効果が容易に得られる。また、第１対向電極２１をＧＮＤ電位に設定すると第２電極１２から中心軸５９にかけて電界分布が形成され、液晶ダイレクタが初期配向に近づくことにより、レンズ形状の屈折率分布が形成される。
【手続補正１１】
【補正対象書類名】明細書
【補正対象項目名】０１２３
【補正方法】変更
【補正の内容】
【０１２３】
第２電極対１５ｂは、Ｙ軸方向に延びる第２電極対１５ｂの第２電極１２ｂと、Ｙ軸方向に延びる第２電極対１５ｂの第３電極１３ｂと、第２電極１２ｂと第３電極１３ｂとの間に設けられた絶縁層１８と、を含む。
【手続補正１２】
【補正対象書類名】明細書
【補正対象項目名】０１２６
【補正方法】変更
【補正の内容】
【０１２６】
Ｘ−Ｙ平面に投影したときに、第１領域Ｒ１における第１対向電極２１と第３対向電極２３との間の第２離間領域２３ｓは、第２電極対１５ｂの少なくとも一部と重なる。
【手続補正１３】
【補正対象書類名】明細書
【補正対象項目名】０１３３
【補正方法】変更
【補正の内容】
【０１３３】
（構成３）  
前記第１基板部は、前記第１主面上において前記第１電極対と前記最近接の２つの前記第１電極のうちの前記一方の電極との間に設けられた第２電極対をさらに含み、前記第２電極対は、
前記第１方向に延びる前記第２電極対の第２電極と、
前記第１方向に延びる前記第２電極対の第３電極と、
前記第２電極対の前記第２電極と前記第２電極対の前記第３電極との間に設けられた絶縁層と、
を含み、前記第２電極対の前記第２電極は、前記平面に投影したときに前記第２電極対の前記第３電極と重なる第１重畳部分と重ならない第１非重畳部分とを有し、前記第２電極対の前記第３電極は、前記平面に投影したときに前記第２電極対の前記第２電極と重なる第２重畳部分と重ならない第２非重畳部分とを有し、
前記第２基板部は、前記第２主面上において前記第１対向電極と前記第２対向電極との間に設けられ前記第１対向電極と前記第２対向電極と離間し前記第１方向に延びる第３対向電極をさらに含み、
前記平面に投影したときに、前記第１領域における前記第１対向電極と前記第３対向電極との間の第２離間領域は、前記第２電極対の少なくとも一部と重なる構成２記載の液晶光学素子。